(57)【特許請求の範囲】
【請求項１】
機械フレーム間に天地方向の位相調整手段を介して回動自在に支持されたパタンローラと、該パタンローラを軸方向に押圧して支持するためのものであって、該パタンローラを軸方向に押圧する圧力が所定圧に変更可能な油圧シリンダとを有し、同パタンローラは前記天地方向の位相調整手段を操作して当該位相調整手段の操作部を回動することで天地方向の位相調整が可能であると共に、前記油圧シリンダは前記調整の際のボタン操作で圧力が所定圧に落ちて前記パタンローラを位相調整可能状態で支持し、所定時間経過すると元の圧力に復帰して前記パタンローラを軸方向に押圧して支持することを特徴とする凹版インキ装置。
【発明の詳細な説明】
【０００１】
【発明の属する技術分野】
本発明は、凹版印刷機のインキ装置に関するものである。
【０００２】
【従来の技術】
凹版印刷機において、彫刻により不要な部分を削り取ったパタンローラが使用されることは公知である。
【０００３】
例えば、図３に示すように、凹版印刷機には、周面に凹版１が装着された凹版胴２と、この凹版胴２の一側に位置して対接するワイピングローラ３等からなるワイピング装置４と、同凹版胴２の他側に位置して対接するパタンローラ５と、このパタンローラ５に対接する壺ローラ６等からなるインキ装置７とが備えられる。
【０００４】
そして、インキ装置７でパタンローラ５の凸部５ａに付着されたインキ８は、凹版１の画線部としての凹部１ａに詰め込まれ、非画線部がワイピングローラ３で拭かれたのち凹部１ａに残ったインキが、凹版胴２と図示しない圧胴とに挾持されて搬送される紙に大きな印圧下で転写されることにより、凹版印刷が施されるようになっている。
【０００５】
【発明が解決しようとする課題】
ところで、上述したインキ装置７の一部を構成するパタンローラ５において、その凸部５ａが基準位置（凹版胴２の凹部１ａと合致する位置）に対し円周方向にずれる場合がある。また、交換可能なパタンローラ５を印刷機に取り付けるにあたってその位置を合わせる必要がある。
【０００６】
このような場合、従来は、パタンローラ５を交換可能に固定支持する固定手段を手動にて緩めた後所定方向に回動させて天地方向の位相調整（見当調整）を行っていた。
そのため、調整作業に要する作業員の負担が大きいという問題点があった。
【０００７】
そこで、本発明の目的は、パタンローラの天地方向の位相調整が容易に行える凹版インキ装置を提供することにある。
【０００８】
【課題を解決するための手段】
前記目的を達成するために、本発明に係る凹版インキ装置は、機械フレーム間に天地方向の位相調整手段を介して回動自在に支持されたパタンローラと、該パタンローラを軸方向に押圧して支持するためのものであって、該パタンローラを軸方向に押圧する圧力が所定圧に変更可能な油圧シリンダとを有し、同パタンローラは前記天地方向の位相調整手段を操作して当該位相調整手段の操作部を回動することで天地方向の位相調整が可能であると共に、前記油圧シリンダは前記調整の際のボタン操作で圧力が所定圧に落ちて前記パタンローラを位相調整可能状態で支持し、所定時間経過すると元の圧力に復帰して前記パタンローラを軸方向に押圧して支持することを特徴とする。
【０００９】
前記構成によれば、パタンローラの天地方向の位相調整の際は、油圧シリンダの圧力を一時的に下げてパタンローラを調整可能状態に支持してから、位相調整手段を操作して当該操作部を回動することで、容易に行われる。
【００１０】
【発明の実施の形態】
本発明に係る凹版インキ装置を実施例により図面を用いて詳細に説明する。
【００１１】
［実施例］
図１は本発明の一実施例を示すインキ装置におけるパタンローラ部の正断面図、図２は同じく油圧シリンダの油圧回路図である。
【００１２】
図１に示すように、機械の左，右両フレーム１０ａ，１０ｂ間には、パタンローラ５（図３のパタンローラと同一構成である）が左，右両支持軸１１ａ，１１ｂにより回動自在に支持されている。尚、パタンローラ５の左，右両軸端部と各支持軸１１ａ，１１ｂの連結端部とは互いにテーパ部で嵌合するようになっている。
【００１３】
前記左支持軸１１ａは軸受１２を介して軸受ハウジング１３に回動自在で且つ軸方向への移動を不能に支持されると共に、この軸受ハウジング１３は左フレーム１０ａに回動自在に嵌装された偏心リング１４ａ内に軸方向への摺動が自在に支持されている。また、偏心リング１４ａには、同偏心リング１４ａを偏心回転させるためのパタンローラ着脱用の油圧シリンダ１５ａが連結されている。
【００１４】
前記軸受ハウジング１３には、左フレーム１０ａに支持部材１６を介して横向きに取り付けられた油圧シリンダ１７のピストンロッド先端が連結され、該油圧シリンダ１７の伸縮で前記左支持軸１１ａが軸受ハウジング１３と共に偏心リング１４ａ内を軸方向に移動してパタンローラ５に対し固定（着）状態の位置と調整可能状態（パタンローラ５の位相調整が可能な状態）の位置と脱状態の位置とに位置移動可能になっている。尚、調整可能状態では位置移動しなくてもよく、左支持軸１１ａ及び軸受ハウジング１３に作用する油圧シリンダ１７の圧力が減ずるだけでも良い。
【００１５】
即ち、前記油圧シリンダ１７の油圧回路図は、図２に示すように構成される。
これによると、先ず、油圧シリンダ１７内の油がタンクに戻される電磁弁２０の図中中央のポート位置Ｃから、図中左側のポート位置Ｒに切り替わると、ポンプからの圧油が油圧シリンダ１７の図中右側の室１７ａに供給されてピストンロッドが着側に移動する（図中矢印参照）。印刷中はこのポート位置Ｒが保持され、圧力計２１によって所定の圧力（左支持軸１１ａがパタンローラ５を固定状態で支持し得る圧力）に保たれるようになっている。
【００１６】
そして、パタンローラ５の位相を調整する際には、図示しない調整用の押ボタン操作によって調整弁２２が開かれて、前記室１７ａに通じる回路内の圧油がタンク側に逃がされて前記固定状態時の圧力が下がりピストンロッドが着側から若干後退可能（圧力が減ずるだけでもよい）となる。その際の下げ圧も圧力計２１によって所定の圧力（左支持軸１１ａがパタンローラ５を調整可能状態で支持し得る圧力）に保たれるようになっている。また、この後、再度調整用の押ボタンが操作されることで、前記調整弁２２が閉じて前記室１７ａの圧力が固定状態の圧力に復帰するようになっているが、このボタン操作による「戻し忘れ」を防ぐために、前記調整可能状態の圧力に下がって所定時間経過すると、自動的に固定状態の圧力に復帰するよう前記調整弁２２が駆動制御されるようにもなっている。
【００１７】
また、電磁弁２０が図中右側のポート位置Ｌに切り替わると、ポンプからの圧油が油圧シリンダ１７の図中左側の室１７ｂに供給される一方図中右側の室１７ａの圧油がタンクに戻され、ピストンロッドが着側から最大限後退される。これにより、左支持軸１１ａがパタンローラ５に対し脱状態の位置に移動し、パタンローラ５の機械に対する交換・着脱が可能となるのである。
【００１８】
一方、前記右支持軸１１ｂはフランジ２５付きのスリーブ２６に内嵌され、このスリーブ２６が右フレーム１０ｂに回動自在に嵌装された偏心リング１４ｂ内に軸受２７を介して回動自在に支持されている。また、偏心リング１４ｂには、同偏心リング１４ｂを偏心回転させるためのパタンローラ着脱用の油圧シリンダ１５ｂが連結されている。
【００１９】
前記スリーブ２６には、その外端に連繋するギヤ列２８を介して、機械の動力が伝達されて回転可能となっている。
【００２０】
また、前記スリーブ２６のフランジ２５には、前記右支持軸１１ｂに回動自在に嵌合した環状の位相調整プレート２９（前記前記スリーブ２６のフランジ２５とで位相調整手段を構成する）が長孔３０により天地方向の位相調整が可能に固定ボルト３１で結合されている。図示例では、前記長孔３０が位相調整プレート２９の円周方向に４箇形成されて、４本の固定ボルト３１が用いられている。
【００２１】
そして、前記位相調整プレート２９とパタンローラ５の連結端部とは伝導ピン３２で連結され、前記スリーブ２６に伝達された回転力が位相調整プレート２９を介してパタンローラ５に伝えられるようになっている。
【００２２】
このように構成されるため、印刷時は、電磁弁２０をポート位置Ｒに切り替  えて、図１のように油圧シリンダ１７を伸長させる。これにより、軸受ハウジング１３及び左支持軸１１ａが図中右方（原動側）に押され、パタンローラ５を固定状態で支持する。
【００２３】
この結果、機械の動力がギヤ列２８→スリーブ２６及びフランジ２５→位相調整プレート２９及び伝導ピン３２→パタンローラ５と伝達され、当該パタンローラ５が回転して凹版印刷が行われる。
【００２４】
一方、パタンローラ５の天地方向の位相を調整する時は、調整用の押ボタン操作によって調整弁２２を開き、前述したように前記固定状態時の圧力を一時的に下げれば良い。その際の下げ圧も圧力計２１によって所定の圧力に保たれることは前述したとおりであり、その後固定状態時の圧力に戻す時の時間が少なくて済む。
【００２５】
次に、固定ボルト３１を緩め、スリーブ２６のフランジ２５に対する位相調整プレート２９の位相を必要量変えて再び固定ボルト３１を締めれば良い。
【００２６】
この後、再度調整用の押ボタンを操作して油圧シリンダ１７（右側の室１７ａ）の圧力を固定状態時の圧力に復帰させる。この際、前記調整可能状態の圧力に下がって所定時間経過すると、自動的に固定状態の圧力に復帰するよう前記調整弁２２が駆動制御されるようにもなっているため、ボタン操作による「戻し忘れ」を防止して、パタンローラ５が片持ち支持で回転することによる印刷不良の発生を未然に回避することができる。
【００２７】
尚、本発明は上記実施例に限定されず、本発明の要旨を逸脱しない範囲で各種変更が可能であることはいうまでもない。
【００２８】
以上説明したように本発明によれば、機械フレーム間に天地方向の位相調整手段を介して回動自在に支持されたパタンローラと、該パタンローラを軸方向に押圧して支持するためのものであって、該パタンローラを軸方向に押圧する圧力が所定圧に変更可能な油圧シリンダとを有し、同パタンローラは前記天地方向の位相調整手段を操作して当該位相調整手段の操作部を回動することで天地方向の位相調整が可能であると共に、前記油圧シリンダは前記調整の際のボタン操作で圧力が所定圧に落ちて前記パタンローラを位相調整可能状態で支持し、所定時間経過すると元の圧力に復帰して前記パタンローラを軸方向に押圧して支持することを特徴とするので、パタンローラの位相調整の際は、油圧シリンダの圧力を一時的に下げてパタンローラを調整可能状態に支持してから、位相調整手段を操作して当該操作部を回動することで容易に行われ、作業者の負担を大幅に軽減できる。
【図面の簡単な説明】
【図１】図１は本発明の一実施例を示すインキ装置におけるパタンローラ部の正断面図である。
【図２】同じく油圧シリンダの油圧回路図である。
【図３】凹版印刷機の胴配列を示す側面図である。
【符号の説明】
５  パタンローラ
１０ａ，１０ｂ  フレーム
１１ａ，１１ｂ  支持軸
１３  軸受ハウジング
１４ａ，１４ｂ  偏心リング
１７  油圧シリンダ
２５  フランジ
２６  スリーブ
２９  位相調整プレート
３０  長孔
３１  固定ボルト
３２  伝導ピン
【図１】
0003985217.tif 000002
【図２】
0003985217.tif 000003
【図３】
0003985217.tif 000004